(57)【要約】【課題】一枚物の名刺と比較すると大量の情報の記載が可能で、また名刺となる紙片の表裏面に鉛筆等の筆記具で障害を起こすことなく走り書きすることもが可能となり、さらにカール等の変形がなく保管も容易であると共にコンパクトサイズに情報が収納されているため、営業活動が従来と比較して身軽いスタイルで広範囲に行動することができるようになる営業ツールを提供することを目的としている。【解決手段】折り線を介して連接された少なくとも３葉片を折り畳み対向面間を剥離可能に接着した圧着名刺において、名刺本体となる最外側の何れかの葉片を除いた他の葉片の折り畳みにより生じる対向面間を疑似接着手段により剥離可能に接着すると共に前記名刺本体となる葉片の表裏面には疑似接着手段が講じられていない圧着名刺により解決される。【特許請求の範囲】
【請求項１】
折り線を介して連接された少なくとも３葉片を折り畳み対向面間を剥離可能に接着した圧着名刺において、名刺本体となる最外側の何れかの葉片を除いた他の葉片の折り畳みにより生じる対向面間を疑似接着手段により剥離可能に接着すると共に前記名刺本体となる葉片の表裏面には疑似接着手段が講じられていないことを特徴とした圧着名刺。
【発明の詳細な説明】
【０００１】  本発明は複数の葉片を折り畳み剥離可能に一体化した圧着名刺に関する。
【背景技術】
【０００２】  従来の名刺は、単に１枚の用紙の表裏面に情報が印刷されているのみであった。しかし最近圧着技術の発達により、例えば特開平１０−２９７１４９号に開示される名刺が発明されている。
【先行技術文献】
【特許文献】
【０００３】
【特許文献１】特開平１０−２９７１４９号公報
【発明の概要】
【発明が解決しようとする課題】
【０００４】  前記引用文献１の発明は複数の紙片を折り畳み剥離可能に疑似接着することで一体化した名刺であり、従来よりも大量の情報が記載できるようにしたものである。そして名刺として使用する紙片は他の紙片から切り取って、整理保管できるようになっている。【０００５】  前記名刺は剥離可能な接着を実現するための疑似接着層として、２層以上のフィルムを接着面の対向面間に介在させる方法或いはヒートシール剤を混入した接着剤や感圧接着剤を塗布する等の手段を用いるとしている。しかしながら前記手段は、整理保管のため分離した名刺が、貼着されているフィルムや接着剤のため著しくカールしてしまい保管がしづらくなる。またフィルムシートやヒートシール剤に被覆されている面に書き込みが出来なくなり、受け取った相手の必要な情報等をメモ代わりに走り書きすることもできない。【０００６】  さらに致命的な欠陥として、複数の紙片が一体化されているので剥離する以前に廃棄されたりそのまま保管されたりしてしまうことがある。即ちせっかくの大量情報が一切読まれることなく眠り続けることになる。【０００７】  本発明は上記問題に鑑み、一枚物の名刺と比較すると大量の情報の記載が可能であり、また名刺となる紙片の表面が疑似接着手段により覆われていないため鉛筆等の筆記具でも容易に走り書きすることが可能で、さらにカール等の変形がなく保管も容易であると共に、記載された大量の情報を確実に受取人が剥離展開して確認してしまう圧着名刺を提供することを目的としている。【０００８】  特に営業活動で大きなサイズで分厚く重量のある自社製品取り扱いパンフレットを持ち歩くには多大な不便が生じる。そんな状況で仮にコンパクトサイズで十分な情報量を有し、挨拶時の名刺としても使用できる本発明は、受取人側でも取り扱いが至便なため非常に重宝され製品の印象付けにも一役買うものである。またそれを使用する営業サイドは、今までより身軽いスタイルで広範囲に行動することが可能となる。
【課題を解決するための手段】
【０００９】  上記目的を達成するために、本発明の圧着名刺は、折り線を介して連接された少なくとも３葉片を折り畳み対向面間を剥離可能に接着した圧着名刺において、名刺本体となる最外側の何れかの葉片を除いた他の葉片の折り畳みにより生じる対向面間を疑似接着手段により剥離可能に接着すると共に前記名刺本体となる葉片の表裏面には疑似接着手段が講じられていないことを特徴としている。【００１０】  疑似接着手段として例えばポリエチレンテレフタレートや二軸延伸ポリプロピレン等の基材の一方の面に公知の感熱接着剤層を形成し、残るもう一方の面に疑似接着層を形成したサーマルラミネート法に対応したプリントラミネート用の疑似接着フィルムシートがある。この物は印刷物の疑似接着予定面に前記感熱接着剤層を介して剥離不能に被覆し、その後折り合わせて加圧或いは加熱・加圧処理を施すと剥離不能に接着するものであり、業界ではフィルム方式と称されている。【００１１】  前記フィルム方式には既述全面貼り方式以外に、予め疑似接着されているフィルムを折り畳まれた印刷物の間に挟み、加熱・加圧処理を施して対向面間を剥離可能に接着する挟み込み方式がある。【００１２】  また既述のフィルム方式以外の疑似接着手段として、例えば疑似接着性のＵＶニスを使用して印刷が完了した疑似接着予定面の表面に疑似接着性被膜を形成するものがある。また前記ＵＶニスに代えてエマルジョンタイプの再剥離性接着剤を塗布するものがある。このような印刷完了後の用紙表面に疑似接着性の被膜を形成する方式を、業界では後糊方式と称している。【００１３】  さらに印刷前の用紙に例えば天然ゴムや合成ゴムを主体とした疑似接着剤を塗工して含侵させ、その後前記用紙の表面に印刷を施す手段がある。このような印刷前の用紙に疑似接着手段を形成する方式を業界では先糊方式と称している。因みに疑似接着フィルムシートを使用する疑似接着手段は業界でフィルム方式と称されている。何れの疑似接着手段においても疑似接着予定面同士を対向させて加圧或いは加熱・加圧処理を施すことにより、対向面同氏は剥離可能に接着する。【００１４】  本発明の圧着名刺を構成する葉片に使用される資材は、上質紙、マット紙、コート紙等の通常の印刷用紙を初め、合成紙、不織布、樹脂フィルムシート等を好適に使用することができる。【００１５】  本発明の圧着名刺を構成する葉片の数は少なくとも３葉片となる。最少の３葉片の場合２葉片が疑似接着手段により剥離可能に接着され、前記２葉片の何れかに折り線を介して連接され且前記２葉片から分離した１葉片がＺ折り或いは巻き折り状態に折り畳まれたものとなる。４葉片以上の場合、蛇腹折り、巻き折り、観音折り或いはそれらの複合折りにより折り畳まれ剥離可能に積層された複数の葉片の、前記複数の葉片から分離した最外側の葉片と連接された１葉片により構成される。
【発明の効果】
【００１６】  本発明の圧着名刺の受取人は、剥離可能に折り畳まれた葉片を平面に展開して内部の各種情報を確認することができる。そして疑似接着手段が講じられていない名刺本体の１葉片を、例えば他の葉片群と連接する折り線に形成された切り取りミシンから切り離して保管することができる。【００１７】  前記切り離された名刺本体は、疑似接着手段が講じられていないのでカールすることはなく保管するに支障は起こらない。また疑似接着手段が講じられていない名刺本体の表裏面には、例えば名刺を受け取った日付や場所等を初め各種記録を走り書きすることができる。また通常の名刺としてファイルすることも可能で極めて至便である。【００１８】  また名刺本体以外の各葉片には会社案内や商品紹介、地図や写真等の各種情報を記載でき、受取人に単なる名刺以上の優れた広告宣伝媒体として多量で詳細な情報を提供することができる。そしてその情報を元に取引先等と話を展開することが可能になるため、高額でサイズの大きなカタログやパンフレット類を持ち歩く必要がなくなり極めて至便である。
【図面の簡単な説明】
【００１９】
【図１】（Ａ）は本発明の圧着名刺Ｍ１及びＭ２の平面図、（Ｂ）は（Ａ）の圧着名刺Ｍ１におけるＩ−Ｉ線断面図、（Ｃ）は（Ａ）の圧着名刺Ｍ２におけるＩ−Ｉ線断面図である。
【図２】（Ａ）は圧着名刺Ｍ１を製造する圧着名刺用紙Ｓ１の表面図、（Ｂ）は裏面図である。
【図３】（Ａ）は疑似接着フィルムシートＧが被覆された状態の圧着名刺用紙Ｓ１の平面図、（Ｂ）は裏面図である。
【図４】（Ａ）は圧着名刺Ｍ２を製造する圧着名刺用紙Ｓ２の表面図、（Ｂ）は裏面図である。
【図５】（Ａ）は疑似接着フィルムシートＧが被覆された状態の圧着名刺用紙Ｓ２の平面図、（Ｂ）は裏面図である。
【図６】（Ａ）は３葉片を巻き折り状態に折り畳んだ圧着名刺Ｍ３の断面図、（Ｂ）は４葉片をＤＭ折り状態に折り畳んだ圧着名刺Ｍ４の断面図、（Ｃ）は５葉片を混合折り状態に折り畳んだ圧着名刺Ｍ５の断面図である。
【発明を実施するための最良の形態】
【００２０】  以下、本発明を図面に沿って分かりやすく説明する。
［三つ折り（Ｚ折り）圧着名刺Ｍ１］
図１（Ａ）及び（Ｂ）は折り線を介して連接された３葉片が断面Ｚ字状に折り畳まれた態様の圧着名刺Ｍ１を示す。このものは例えば図２（Ａ）及び（Ｂ）に示す圧着名刺用紙Ｓ１から製造され、同図（Ａ）に示すように、第一葉片１表面に会社名や本人の氏名、会社の住所や電話番号等の各種情報が記載されている。【００２１】  また図２（Ｂ）に示すように第一葉片１裏面には本社、工場、事業所或いは営業所等の各種情報が記載されている。そして第二葉片２及び第三葉片３裏面には会社案内や商品説明等の各種情報が記載されている。なお、第一葉片１は他の２葉片と折り線４に設けられている切取りミシンにより破断して分離することができる。【００２２】  既述の構成の圧着名刺用紙Ｓ１は長尺シート或いは枚葉シートに複数印刷され、図３に示すように疑似接着予定面に疑似接着フィルムシートＧが次々と被覆されると、折り畳まれた後に単体の圧着名刺用紙Ｓ１毎に切り出される。或いは切り出された後に折り畳まれて、対向する疑似接着予定面同士を例えば加圧或いは加熱・加圧処理を施すことにより剥離可能に接着される。【００２３】  なお、前記製造方法の順序としては、個別に切り出され折り畳まれた圧着名刺用紙Ｓ１を最終的に剥離可能に接着する以外に、例えば圧着名刺用紙Ｓ１が上下方向に複数丁印刷されたシートをそのまま折り畳み、加圧或いは加熱・加圧処理を施した後に個別に切り出しても構わない。この点に付いては後述する四つ折り（Ｗ折り）圧着名刺Ｍ２でも同様である。【００２４】  この圧着名刺Ｍ１の受取人は、差し出す本人の基本情報或いは所属する会社の商品説明等の各種情報を、そのまま或いは疑似接着予定面においては被覆されている疑似接着フィルムシートＧを透して視認することができる。そして第一葉片１と第二葉片２を連接する折り線４に設けられた切取りミシンから、第一葉片１を切り離し名刺のストックブック等に保管することができる。この名刺には筆記の障害となる疑似接着手段が講じられていない通常の用紙のため、受取人は受け取った日時や場所或いは重要な会社情報等を抜粋して各種筆記用具で書き残すことができる。また表裏面に疑似接着手段が講じられていないので保管の障害になるカールの問題も起こり得ない。【００２５】［四つ折り（Ｗ折り）圧着名刺Ｍ２］
図１（Ａ）及び（Ｃ）は折り線を介して連接された４葉片が断面Ｗ字状に折り畳まれた態様の圧着名刺Ｍ２を示す。このものは例えば図４（Ａ）及び（Ｂ）に示す圧着名刺用紙Ｓ２から製造され、同図（Ａ）に示すように、第一葉片１１表面に会社名や本人の氏名、会社の住所や電話番号等の各種情報が記載されている。【００２６】  また図４（Ｂ）に示すように第一葉片１１裏面には本社、工場、事業所或いは営業所等の各種情報が記載されている。そして第二葉片１２、第三葉片１３及び第四葉片１４表裏面には会社の商品説明等他の各種情報が記載されている。なお、第一葉片１１は他の３葉片と折り線１５に設けられている切取りミシンにより破断して分離することができる。【００２７】  既述の構成の圧着名刺用紙Ｓ２は長尺シート或いは枚葉シートに複数印刷され、図５に示すように表裏面の疑似接着予定面に疑似接着フィルムシートＧが次々と被覆されると、折り畳まれた後に単体の圧着名刺用紙Ｓ２毎に切り出される。或いは切り出された後に折り畳まれて、対向する疑似接着予定面同士を例えば加圧或いは加熱・加圧処理を施すことにより剥離可能に接着される。【００２８】  この圧着名刺Ｍ２の受取人は、差し出す本人の基本情報或いは所属する会社の商品説明等の各種情報を、そのまま或いは疑似接着予定面においては被覆されている疑似接着フィルムシートＧを透して視認することができる。そして第一葉片１１と第二葉片１２を連接する折り線１５に設けられた切取りミシンから、第一葉片１１を切り離し名刺のストックブック等に保管することができる。この名刺には筆記の障害となる疑似接着手段が講じられていない通常の用紙のため、受取人は受け取った日時や場所或いは重要な会社情報等を抜粋して各種筆記用具で書き残すことができる。また表裏面に疑似接着手段が講じられていないので保管の障害になるカールの問題も起こり得ない。【００２９】［その他の態様の圧着名刺Ｍ３、Ｍ４及びＭ５］
図６（Ａ）、（Ｂ）及び（Ｃ）は、前記圧着名刺Ｍ１及びＭ２と異なる態様の圧着名刺の断面図である。同図（Ａ）は第一葉片２１、第二葉片２２及び第三葉片２３が折り線２４及び２５で連接された圧着名刺用紙を、第三葉片２３が第一葉片２１と第二葉片２２の対向面間に包み込まれるように巻き折りしたもので、第二葉片２２と第三葉片２３の対向する疑似接着予定面に疑似接着フィルムシートＧが介在している。【００３０】  図６（Ｂ）は第一葉片３１、第二葉片３２、第三葉片３３及び第四葉片３４が折り線３５、３６及び３７で連接された圧着名刺用紙を、最初に折り線３６から第一葉片３１及び第二葉片３２と第四葉片３４及び第三葉片３３が対向するように折り畳み、その後第三葉片３３と第四葉片３４が対向するように折り線３５及び３７から二つ折りしたものである。そして第二葉片３２及び第三葉片３３と第三葉片３３及び第四葉片３４の対向する疑似接着予定面に疑似接着フィルムシートＧが介在している。【００３１】  図６（Ｃ）は前記図６（Ｂ）の第一葉片３１に新たに名刺本体となる第一葉片４１が折り線４６を介して連接された５葉片が折り畳まれた態様となっている。この実施例の場合第二葉片４２及び第五葉片４５、第五葉片４５及び第四葉片４４、そして第四葉片４４及び第三葉片４３の対向する疑似接着予定面に疑似接着フィルムシートＧが介在している。【００３２】  なお、本発明は、上記実施例に限定されるものではない。
例えば、葉片数は３葉片以上であればよく折り畳み形態に格別な制限はない。蛇腹折りや巻き折り或いは観音開き折りの何れでも構わず、それらの各種折り形態が混合となって折り畳まれていても構わない。要は折り畳まれた後に再外側の１葉片がフリーな状態で接着されていなければ良いのである。
【符号の説明】
【００３３】  Ｍ１、Ｍ２、Ｍ３、Ｍ４、Ｍ５  圧着名刺
Ｓ１、Ｓ２  圧着名刺用紙
Ｇ  疑似接着フィルムシート
１、２、３、１１、１２、１３、１４、２１、２２、２３、３１、３２、３３、３４、４１、４２、４３、４４、４５  葉片
４、５、１５、１６、１７、２４、２５、３５、３６、３７、４６、４７、４８、４９  折り線
【図１】
2019202525.tif 000002
【図２】
2019202525.tif 000003
【図３】
2019202525.tif 000004
【図４】
2019202525.tif 000005
【図５】
2019202525.tif 000006
【図６】
2019202525.tif 000007